(57)【要約】【課題】電子タグの性能低下を防止できる電子タグ付き書籍、その刷り本、及び電子タグ付き書籍の製造方法を提供する。【解決手段】複数の折丁(42)を丁合し、その見開き頁(22)までが表紙(2)とともに中綴じされる本文(10)と、チップ(52)、このチップに接続するアンテナ(54)、並びに、これらチップ及びアンテナを支持する基板(56)をそれぞれ有し、外部通信手段(70)からの電波で非接触通信を行う電子タグ(50)と、本文のうち折丁の綴じ目になる扉(24)ののど(26)の一部を除去して形成された凹みを有しており、その内部にチップの頂上部分から底部分に亘って配置させるチップ格納部(30)とを具備する。【選択図】図２
2011224810.tif 000002
【特許請求の範囲】
【請求項１】
複数の折丁を丁合し、その見開き頁までが表紙とともに中綴じされる本文と、
チップ、このチップに接続するアンテナ、並びに、これらチップ及びアンテナを支持する基板をそれぞれ有し、外部通信手段からの電波で非接触通信を行う電子タグと、
前記本文のうち前記折丁の綴じ目になる扉ののどの一部を除去して形成された凹みを有しており、その内部に前記チップの頂上部分から底部分に亘って配置させるチップ格納部と
を具備することを特徴とする電子タグ付き書籍。
【請求項２】
請求項１に記載の電子タグ付き書籍であって、
前記チップは、前記凹みを形成する壁面から離間した状態で前記チップ格納部の内部に配置されていることを特徴とする電子タグ付き書籍。
【請求項３】
請求項１又は２に記載の電子タグ付き書籍であって、
前記基板は、前記チップ及びこのチップ周辺のアンテナを支持する支持部を有し、この支持部が前記チップ格納部の内部に納まるように折り曲げられていることを特徴とする電子タグ付き書籍。
【請求項４】
情報の印字が終了し、折丁に至る前の刷り本であって、
前記折丁の綴じ目になる扉ののどの一部を貫通して穿設された複数の孔を備えており、
これら各孔は、前記刷り本を前記折丁の１頁の大きさに折り畳むことにより凹みをなし、その内部に、外部通信手段からの電波で非接触通信を行う電子タグのチップの頂上部分から底部分に亘って配置させるチップ格納部を形成することを特徴とする電子タグ付き書籍用の刷り本。
【請求項５】
外部通信手段からの電波で非接触通信を行う電子タグ付き書籍の製造方法であって、
情報を用紙に印字して複数の刷り本を作成する工程と、
前記刷り本のうち折丁の綴じ目になる扉ののどの一部を除去して複数の孔を設ける工程と、
前記刷り本を折り畳んで複数の前記折丁を作成する工程と、
前記折丁を丁合して本文を作成するとともに、前記各孔が重ね合わされて凹みをなすチップ格納部を形成する工程と、
このチップ格納部の内部に前記電子タグのチップの頂上部分から底部分に亘って配置させる工程と、
前記本文に表紙を被せる工程と、
前記表紙ととともに前記本文の見開き頁までを連結具で固定する工程と、
これら本文及び表紙の天、地、及び小口の三方を断裁して冊子を作成する工程と
から構成される電子タグ付き書籍の製造方法。
【請求項６】
請求項５に記載の電子タグ付き書籍の製造方法であって、
前記電子タグは、前記チップに接続するアンテナ、並びに、これらチップ及びアンテナを支持する基板をそれぞれ有しており、
前記チップ及びこのチップ周辺のアンテナを前記チップ格納部の内部に配置させ、続いて、当該チップ周辺のアンテナよりも外側に位置する基板を前記本文に取り付けることを特徴とする電子タグ付き書籍の製造方法。
【発明の詳細な説明】
【技術分野】
【０００１】
本発明は、電子タグの取り付けに好適な書籍、その刷り本及び当該書籍の製造方法に関するものである。
【背景技術】
【０００２】
この種の書籍を管理するシステムでは、ＲＦＩＤ（Ｒａｄｉｏ  Ｆｒｅｑｕｅｎｃｙ  ＩＤｅｎｔｉｆｉｃａｔｉｏｎ）を用いた手法が知られている。
詳しくは、当該ＲＦＩＤを用いた手法では、電子タグ（ＩＣタグ）が書籍に取り付けられている。この電子タグには、データの書き換え・追記機能を有するＩＣチップが搭載されており、電子タグとリーダ／ライタとの間では非接触の無線通信が行われる（例えば、特許文献１〜３参照）。
【０００３】
より具体的には、電子タグは基板を有し、この基板に、ＩＣチップやこのＩＣチップに接続するアンテナが支持される。そして、書籍に取り付けた電子タグをリーダ／ライタで読み取ると、電子タグの固有情報等が得られ、書籍の生産や在庫の他、現在の位置等の管理も可能になる。これにより、書籍の流通管理及び書籍の盗難防止に利用できる。
【先行技術文献】
【特許文献】
【０００４】
【特許文献１】特開２００４−３３４２６８号公報
【特許文献２】特許第４１８４８２４号公報
【特許文献３】特開２００３−１１５４３号公報
【発明の概要】
【発明が解決しようとする課題】
【０００５】
しかしながら、上述した従来の技術では、電子タグの性能が低下するという問題がある。
なぜならば、上記各技術の電子タグは、そのＩＣチップが基板よりも突出して配置されるにも拘わらず、書籍の表紙の中央付近或いは本文の中央付近、より詳しくは、他の書籍に重なる平坦部分に取り付けられており、製本後、つまり、書籍を積み重ねた梱包作業、搬送作業や陳列作業などの際に書籍に外力が作用すると、この突出したＩＣチップや、ＩＣチップとアンテナとの接合部分に衝撃が直接に加わり、電子タグが破損し易くなるからである。
【０００６】
すなわち、このままでは、電子タグは製本時点では正常に作動していても、書籍が市場に流通して販売されるまでに通信不能になり得る。このため何等かの措置が必要になるが、上記従来の技術では単に非接触の無線通信を行うのみであり、製本後における電子タグの故障の点については格別な配慮がなされていない。
【０００７】
そこで、本発明の目的は、上記課題を解消し、電子タグの性能低下を防止できる電子タグ付き書籍、その刷り本及び電子タグ付き書籍の製造方法を提供することである。
【課題を解決するための手段】
【０００８】
上記目的を達成するための第１の発明は、複数の折丁を丁合し、その見開き頁までが表紙とともに中綴じされる本文と、チップ、このチップに接続するアンテナ、並びに、これらチップ及びアンテナを支持する基板をそれぞれ有し、外部通信手段からの電波で非接触通信を行う電子タグと、本文のうち折丁の綴じ目になる扉ののどの一部を除去して形成された凹みを有しており、その内部にチップの頂上部分から底部分に亘って配置させるチップ格納部とを具備する。
【０００９】
第１の発明によれば、電子タグ付き書籍は本文と電子タグとを備えており、この本文は、複数の折丁を丁合し、外側から表紙が被せられる。電子タグは、チップ、このチップに接続するアンテナ、並びに、これらチップ及びアンテナを支持する基板をそれぞれ有しており、外部通信手段からの電波で非接触通信を行うことができる。
【００１０】
ここで、本文にはチップ格納部が形成されている。このチップ格納部は、本文のうち情報が印字されない箇所、より具体的には、折丁の綴じ目になる扉ののどの一部を除去して形成された凹みであり、その内部にチップの頂上部分から底部分に亘って配置させる。よって、チップが基板よりも突出して配置されていても、このチップ全体はチップ格納部に退避されているため、本文から突出しない。
【００１１】
この結果、製本後、つまり、書籍を積み重ねた梱包作業、搬送作業や陳列作業などの際に書籍に外力が作用しても、チップやこのチップとアンテナとの接合部分への衝撃は緩和され、電子タグの性能低下を防止できる。すなわち、製本時には正常に作動していた電子タグが、書籍とともに市場に流通して販売されるまでに通信不能になってしまうという不具合を大幅に削減できる。
【００１２】
しかも、上記のどは、小口の反対側に位置し、中綴じされた本文の曲面状になる部分である。より具体的には、一般に、画像、絵柄、文字情報を印刷しない箇所であり、飾り罫などが印刷される程度のスペースである。このため、電子タグを取り付けても書籍の読み手には違和感を与えない。
また、当該のどは、複数の書籍を重ねた際に、小口の反対側から視える表紙で覆われた本文の一部分に該当し、外部通信手段はこの小口の反対側から電子タグの情報を容易に読み取ることができる。
【００１３】
第２の発明は、第１の発明の構成において、チップは、凹みを形成する壁面から離間した状態でチップ格納部の内部に配置されていることを特徴とする。
第２の発明によれば、第１の発明の作用に加えてさらに、チップ格納部はチップを宙に浮かせた状態で格納しており、仮に、表紙や本文に外力が作用しても、この衝撃は表紙や本文でそれぞれ吸収され、チップやこのチップとアンテナとの接合部分には直接に伝わらない。したがって、チップを確実に保護できる他、これらチップとアンテナとの接合部分の破損も確実に防止できる。
【００１４】
第３の発明は、第１や第２の発明の構成において、基板は、チップ及びこのチップ周辺のアンテナを支持する支持部を有し、この支持部がチップ格納部の内部に納まるように折り曲げられていることを特徴とする。
第３の発明によれば、第１や第２の発明の作用に加えてさらに、支持部が、チップやこれらチップとアンテナとの接合部分を支持するとともに、基板を折り曲げて設けられるため、チップやこれらチップとアンテナとの接合部分をチップ格納部の内部に容易に納めることができる。
【００１５】
第４の発明は、情報の印字が終了し、折丁に至る前の刷り本である。そして、折丁の綴じ目になる扉ののどの一部を貫通して穿設された複数の孔を備えており、これら各孔は、刷り本を折丁の１頁の大きさに折り畳むことにより凹みをなし、その内部に、外部通信手段からの電波で非接触通信を行う電子タグのチップの頂上部分から底部分に亘って配置させるチップ格納部を形成する。
【００１６】
第４の発明によれば、刷り本には複数の孔が貫通して穿設されている。これら各孔は、折丁の綴じ目になる扉ののど、すなわち、書籍の読み手に違和感を与えないスペースに設けられている。そして、これら各孔は、刷り本を折り畳むことにより重なり合って初めて凹みをなし、電子タグの性能低下を防止するチップ格納部になる。
【００１７】
このように、平坦な刷り本の時点で孔を設けておけば、チップ格納部を本文の曲面部分を直接に除去して設ける場合に比して、チップ格納部を容易に形成できるし、また、万一、孔を誤って穿設しても、刷り本を再度作成して孔を設け直せば済み、本文全体を無駄にしないため、本文の歩留まり向上にも寄与する。
【００１８】
第５の発明は、外部通信手段からの電波で非接触通信を行う電子タグ付き書籍の製造方法である。そして、情報を用紙に印字して複数の刷り本を作成する工程と、刷り本のうち折丁の綴じ目になる扉ののどの一部を除去して複数の孔を設ける工程と、刷り本を折り畳んで複数の折丁を作成する工程と、折丁を丁合して本文を作成するとともに、各孔が重ね合わされて凹みをなすチップ格納部を形成する工程と、このチップ格納部の内部に電子タグのチップの頂上部分から底部分に亘って配置させる工程と、本文に表紙を被せる工程と、表紙ととともに本文の見開き頁までを連結具で固定する工程と、これら本文及び表紙の天、地、及び小口の三方を断裁して冊子を作成する工程とから構成される。
【００１９】
第５の発明によれば、電子タグ付き書籍は、印刷、紙折、丁合、表紙掛け、綴じ、断裁の各工程を経て製造される。電子タグの性能低下を防止するための凹みであるチップ格納部は、紙折工程に移る前、つまり、刷り本の時点で設けられた孔を重ねて形成される。よって、チップ格納部を紙折工程から断裁工程までの間に設けた場合に比して、平坦な刷り本に容易に形成できる。
【００２０】
より詳しくは、折丁の綴じ目になる扉ののどは、一般に、画像、絵柄、文字情報を印刷しない箇所であって、飾り罫などが印刷される程度のスペースであり、紙折工程から断裁工程までの作業者よりも、印刷工程の作業者が容易に確認できる空間である。したがって、当該孔は印刷工程にて容易、且つ、正確に形成可能になる。
【００２１】
また、孔の穿設に失敗した刷り本だけを再度作成して孔を設け直せば済み、本文全体を無駄にしないため、本文の歩留まり向上にも寄与する。
さらに、電子タグは表紙掛け工程の前、つまり、丁合した本文に取り付けられており、表紙掛け工程から断裁工程までの間に設けた場合に比べて、表紙を捲ってから取り付けなくて済むことから、その取り付けに要する作業が簡単である。
【００２２】
第６の発明は、第５の発明の構成において、電子タグは、チップに接続するアンテナ、並びに、これらチップ及びアンテナを支持する基板をそれぞれ有しており、チップ及びこのチップ周辺のアンテナをチップ格納部の内部に配置させ、続いて、チップ周辺のアンテナよりも外側に位置する基板を本文に取り付けることを特徴とする。
【００２３】
第６の発明によれば、第５の発明の作用に加えてさらに、電子タグは表紙掛け工程の前、つまり、丁合した本文に取り付けられるが、まず、チップ及びこのチップ周辺のアンテナをチップ格納部の内部に配置しておき、その後、基板を本文に取り付けている。よって、初めに基板を本文に取り付けてからチップ等をチップ格納部の内部に配置した場合に比して、この初めに取り付けた基板に張力が生じてチップ等がチップ格納部の外部に飛び出すことを回避できる。このため、チップ及びこのチップ周辺のアンテナをより一層確実に保護できる。
【発明の効果】
【００２４】
本発明によれば、チップ格納部が本文のうち情報が印字されない箇所に設けられており、チップ全体を退避させるため、チップやチップとアンテナとの接合部分への衝撃を緩和でき、電子タグの性能低下を防止できる電子タグ付き書籍、その刷り本及び電子タグ付き書籍の製造方法を提供することができる。
【図面の簡単な説明】
【００２５】
【図１】本実施例に係る冊子の斜視図である。
【図２】図１の表表紙を開いた状態の斜視図である。
【図３】図２のＩＣタグの平面図である。
【図４】図２の部分拡大図である。
【図５】図４のＶ−Ｖ線から視た断面図である。
【図６】図１の冊子の生産フローチャートである。
【図７】図６の印刷工程における刷り本の平面図である。
【図８】図６の丁合工程における本文の斜視図である。
【図９】図６のタグ貼り付け工程における本文の斜視図である。
【図１０】図６のタグ貼り付け工程の説明図である。
【図１１】図６の表紙鞍掛け工程における本文及び表紙の斜視図である。
【図１２】図６の針金打ち工程における本文及び表紙の斜視図である。
【図１３】図１の冊子の管理説明図である。
【図１４】他の実施例に係る冊子の斜視図である。
【発明を実施するための形態】
【００２６】
以下、本発明の好適な実施の形態を図面に基づいて説明する。
図１には、本実施例に係る書籍の一例としてコミック等の冊子１が示されている。本実施例の冊子１は、例えばＢ５版（２５２ｍｍ×１６２ｍｍ×３４ｍｍ）の大きさで形成され、糸や糊を用いずに、針金（連結具）２０だけで綴じられた中綴じ本である。
【００２７】
より詳しくは、この冊子１は表紙２及び本文１０を備え、表紙２は、その開いた状態で略長方形をなし、その中央部分に直線状の背４を有している。この背４の両側には幅広の表表紙６及び裏表紙８がそれぞれ連なっており、表表紙６には冊子１のタイトルや写真が（図１（ａ））、裏表紙８には広告がそれぞれ掲載される（図１（ｂ））。また、この図１（ｂ）で視て裏表紙８の左側、つまり、背４の近傍には冊子１のタイトルや発行所及び定価等が背４に沿って記載される。
【００２８】
本実施例の表紙２は背４を境にして二つ折りされ、その閉じた状態では内側に本文１０を配置するため、略Ｕ字状に形成される。
本文１０は、表表紙６を開いた図２に示されるように、第１頁から最終頁までの扉２４を有し、図１（ａ）の状態で云えば、この第１頁の扉２４は表表紙６の下側に位置し、最終頁の扉２４は裏表紙８の上側に位置する。
【００２９】
これら扉２４の天１２や地１４は表紙２で覆われていない。また、図２で視て本文１０の左端には、同じく表紙２で覆われない小口１６を有する。
第１頁の扉２４や表表紙６の裏面にも広告が記載されているが、この図２で視て本文１０の右端、つまり、小口１６の反対側が図８等で後述する折丁４２の綴じ目になる。この綴じ目は扉２４ののど（喉）２６に相当し（図２）、本文１０のうち情報が印字されない箇所であることが分かる。
【００３０】
また、図２で視てのど２６の右端は、天１２及び地１４方向に沿って直線状に形成され、表紙２の背４で覆われている。
上記針金２０は表紙２の背４に沿って打たれ、背４から本文１０の見開き頁２２に達しており、本文１０を閉じた状態の見開き頁２２には、のど２６の近傍に空間が形成されている。
【００３１】
そして、のど２６は、当該空間を撫でるように湾曲して背４で覆われる位置に向かう。詳しくは、上記第１頁から見開き頁２２までの扉２４ののど２６は、見開き頁２２の空間の外側で曲面状をなして下方に向かう一方、見開き頁２２から上記最終頁までの扉２４ののど２６は、同じく曲面状をなして上方に向かい、これら各のど２６は背４に対峙した位置にて直線状に連なっている。
【００３２】
ここで、本実施例では、表表紙６の下側に位置した第１頁の扉２４ののど２６に、ＩＣタグ（電子タグ）５０が貼り付けられている（図２）。
本実施例のＩＣタグ５０は、電源を有しないパッシブタイプであり、図３に示される如く、細長い略長方形の基板５６に、ＩＣチップ（チップ）５２や例えばダイポールアンテナ（アンテナ）５４が搭載される。なお、アンテナにはダイポールアンテナの他、ループアンテナなどの公知の構造を使用可能である。
【００３３】
具体的には、基板５６は可撓性を有したフィルム状に形成され、ＩＣチップ５２は、その頂上部分から底部分までの高さが約１ｍｍに満たない略直方体で形成され、基板５６の一方の面の中央部分に搭載されている。ＩＣチップ５２は、そのメモリへのデータの書き換え・追記機能を有し、さらに、後述のリーダ／ライタ（外部通信手段）７０との通信機能を有する。
【００３４】
ダイポールアンテナ５４は、ＩＣチップ５２と同様に基板５６の一方の面に搭載されており、基板５６の長手方向に沿って延びている。ダイポールアンテナ５４は例えばエッチングにて形成され、ＩＣチップ５２の底部分に電気的に接続される。
このように、ＩＣタグ５０の本来の形状は、平板状の基板５６に、ダイポールアンテナ５４やＩＣチップ５２が載置され、このＩＣチップ５２の頂上部分が基板５６から最も突出したものである。
【００３５】
そして、ＩＣタグ５０は、基板５６の長手方向を冊子１の天１２及び地１４方向に合わせて第１頁の扉２４ののど２６に配置されるが、本実施例では、ＩＣチップ５２の頂上部分が表表紙６に接触しないように配置される。
詳しくは、図２や、この図２で視える第１頁の扉２４を奥側に配置した図４に示されるように、のど２６にはチップ格納穴（チップ格納部）３０が形成されている。
【００３６】
本実施例のチップ格納穴３０は、のど２６の一部、例えばその中央部分が除去して構成されており、見開き頁２２に向けて窪んでいる。
具体的には、チップ格納穴３０は開口３２及び凹み３４を有する。開口３２は、例えば略楕円形の孔がのど２６の中央部分を貫通して形成されており、第１頁の扉２４ののど２６に穿設された開口３２は表表紙６の内側で覆われる。
【００３７】
なお、基板５６の幅（基板５６の長手方向に対して直交方向）を考慮しつつ、本文１０に記載の情報を邪魔しない大きさを鑑みるに、略楕円形の開口３２の短半径は約３ｍｍ〜５ｍｍの範囲が妥当である。
また、凹み３４は、複数の開口３２が本文１０の厚み方向に重なって形成される。
【００３８】
より詳しくは、本実施例の如く第１頁から順に、各扉２４ののど２６に開口３２を穿設した場合には、のど２６に穿設された開口３２を本文１０の厚み方向にそれぞれ重ねると、表表紙６から離間して裏表紙８に向かう凹み３４が形成される。
なお、この凹み３４の深さは開口３２の個数で調整可能であるが、ＩＣチップ５２の頂上部分から底部分までの高さを考慮し、且つ、本文１０の強度確保を鑑みると、凹み３４の深さは約１ｍｍ〜５ｍｍの範囲が望ましい。
【００３９】
一方、開口３２及び凹み３４からなるチップ格納穴３０を設けたのに対応して、ＩＣタグ５０も折り曲げている。
詳しくは、本実施例の基板５６は、中央部（支持部）５８、傾斜部６０、及び翼部６２からなり、図５にも示される如く、中央部５８が基板５６の中央部分に位置し、ＩＣチップ５２やＩＣチップ５２とダイポールアンテナ５４との接続部６６（例えば異方性導電ペースト（ＡＣＰ）接続）を支持している。
【００４０】
傾斜部６０は中央部５８の両側にそれぞれ連なり、また、翼部６２は中央部５８の反対側にて傾斜部６０，６０にそれぞれ連なっており、これら傾斜部６０及び翼部６２はダイポールアンテナ５４を支持する。
傾斜部６０の両側、つまり、中央部５８との境界位置、及び翼部６２との境界位置にはそれぞれ折り目が形成され、中央部５８は翼部６２に対して下方に配置される。換言すれば、ＩＣチップ５２及びダイポールアンテナ５４との接続部６６並びに中央部５８はその両側の傾斜部６０及び翼部６２で吊られた状態にある。
【００４１】
これにより、図５に示されるように、翼部６２がのど２６に接着剤６４でそれぞれ貼り付けられると、傾斜部６０が開口３２の周縁から下方に向けて延びているため、中央部５８が凹み３４に納まり、ＩＣチップ５２の頂上部分から底部分が第１頁の扉２４の開口３２よりも下方に位置し、ＩＣチップ５２の頂上部分が表表紙６の内側に接触しないように配置することができる。
【００４２】
また、この凹み３４は、各のど２６の開口３２を集めた周壁（壁面）３６、及びこの開口３２を有しないのど２６である底壁（壁面）３８で形成されるが、中央部５８は周壁３６に接触しないように凹み３４に配置され（図４，５）、さらに、この中央部５８は底壁３８にも接触しないように凹み３４に配置される（図５）。この結果、ＩＣチップ５２やダイポールアンテナ５４との接続部６６を周壁３６及び底壁３８から離間した状態で凹み３４に配置することができる。
【００４３】
ところで、このＩＣタグ５０を装着した冊子１は、図６に示された工程を経て生産される。
まず、ステップＳ６０１では、図示しない印刷機にて画像、絵柄、文字情報などを大判の用紙に両面印刷し、刷り本４０を作成する（図７）。この刷り本４０は、折丁４２の１頁の大きさに相当する扉２４が複数連なっており、折丁４２の山形状の折り目を境にして正しい頁順になる所定の印刷方法で印刷される。
【００４４】
なお、図７の扉２４は断裁前の状態であるため、本文１０の扉２４よりも大きく形成される。また、この図７に示す点線が折り畳まれる位置に相当し、そのうち各扉２４の長手方向の点線４４を跨いだ領域が折丁４２の綴じ目になる。
次に、ステップＳ６０２に進み、刷り本４０に孔３２を穿設する。当該孔３２が上述の開口３２に該当する。
【００４５】
具体的には、略楕円形の抜き歯（図示しない）を用いて各扉２４ののど２６の中央部分を打ち抜き、刷り本４０の両面を貫通する孔３２を設ける。そして、孔３２を備えた刷り本４０を複数作成し、ステップＳ６０３に進む。
ここで、当該孔３２の個数は上述した凹み３４の深さによって異なる。つまり、図７の刷り本には計４個の孔３２が形成されているが、仮に、凹み３４の底面３８が見開き頁２２に達しない場合には、この底面３８を有する刷り本４０の孔３２の個数は４個未満になる。また、孔３２を一切備えない刷り本４０も作成されることになる。
【００４６】
なお、孔３２を形成する抜き歯の形状には、丸、四角、三角、多角形、楕円など種々の形状を選択できる。
また、この孔３２の穿設にあたり、仮に、本文１０の頁数が非常に多くなる場合には、凹み３４の底面３８に近い孔３２は表表紙６に近い孔３２よりも上記点線４４に近付けて穿設する。折丁４２の丁合時に各孔３２の位置が容易に揃うからである。
【００４７】
上記ステップＳ６０３では、刷り本４０をその扉２４の大きさに折り畳んで折丁４２を作成する。１個の折丁４２は、上記点線４４を折り目の頂点とした山形状に形成され、各孔３２が重なり合って凹み３４の一部を構成する。他の刷り本４０についても同様に折り畳み、１冊の本文１０に相当する複数の折丁４２を作成する。
【００４８】
続いて、ステップＳ６０４に進み、複数の折丁４２を重ねて丁合する。具体的には、図８に示されるように、山形状の各折丁４２が開いた状態で鞍を掛けるように重ねられる。これにより、見開き頁２２を境にして正しい頁順に並んで１冊の本文１０になり、また、その閉じた状態の見開き頁２２には、上述した空間がのど２６の近傍に形成されることになる。
【００４９】
この丁合により、各折丁４２の孔３２が総て連なって壁面３６及び底面３８を有した凹み３４が形成され、この凹み３４によるチップ格納穴３０が本文１０の見開き頁２２に向けて窪むことになる。
なお、表紙２は、ステップＳ６０５を経てから本文１０に被せられ（ステップＳ６０６）、丁合の終了時点ではまだ被せない。
【００５０】
当該ステップＳ６０５では、ＩＣチップ５２をチップ格納穴３０に格納できるように、ＩＣタグ５０を扉２４ののど２６に貼り付ける（図９）。
具体的には、まず、平坦な基板５６を有したＩＣタグ５０を準備し（図１０（ａ））、次に、中央部５８と傾斜部６０との境界位置を谷折りし、傾斜部６０と翼部６２との境界位置を山折りして中央部５８を翼部６２よりも下方に配置する（図１０（ｂ））。
【００５１】
続いて、中央部５８をＩＣチップ５２の上方から吸引しておき、中央部５８を凹み３４に向けて降ろし、ＩＣチップ５２の頂上部分から底部分が凹み３４に納まる状態、換言すれば、ＩＣチップ５２の頂上部分を第１頁の開口３２よりも下側に配置し、中央部５８が凹み３４の壁面３６及び底面３８に接触しない状態に保持する（図１０（ｃ））。
【００５２】
そして、このＩＣチップ５２が凹み３４の内部で浮いた状態にて、翼部６２，６２をのど２６に貼り付ける（図１０（ｄ））。
次いで、ステップＳ６０６に進み、山形状の折丁４２の外側に、二つ折りの表紙２を開いた状態で鞍を掛けるように重ね（図１１）、ステップＳ６０７では、表紙２の背４の適宜位置に２個の針金２０を打ち込み、折丁４２を丁合した本文１０と表紙２とを固定する（図１２）。
【００５３】
その後、ステップＳ６０８に進み、針金２０で綴じられた本文１０及び表紙２の三方、つまり、天１２、地１４及び小口１６の三方裁ち（化粧裁ち）を行って一連のルーチンを抜け、図１に示す冊子１になる。
なお、この製本が完了すると、ＩＣタグ５０の通信検査が実施され、例えばＩＣチップ５２の認証番号を読み取れた場合には合格品になり、梱包後に出荷される。
【００５４】
この出荷された冊子１は、例えば図１３に示される如く表表紙６を上側にして平積みされ、店頭などに並べられる。その際、各冊子１に装着されたＩＣタグ５０のデータはリーダ／ライタ７０で取得される。
本実施例のリーダ／ライタ７０は、日本国ではおよそ９５０ＭＨｚのＵＨＦ帯の電波を送受信するアンテナ７２や、各ＩＣタグ５０との通信を制御する通信制御部（図示しない）を有しており、情報処理端末（図示しない）に接続されている。なお、周波数の大きさについては上記値に限定されず、米国や欧州等の諸外国の規格に応じて当然に調整される。
【００５５】
アンテナ７２は表紙２の背４側に設置され、このアンテナ７２から送信された電波は、表紙２を透過してＩＣタグ５０に送信される。当該電波はＩＣタグ５０のダイポールアンテナ５４で受信され、リーダ／ライタ７０からのリクエスト信号としてＩＣチップ５２に供給される。その後、ＩＣチップ５２からのアンサー信号はダイポールアンテナ５４からアンテナ７２に向けて送信され、リーダ／ライタ７０に供給される。
【００５６】
この結果、これらＩＣタグ５０とリーダ／ライタ７０との間では非接触の無線通信が行われ、リーダ／ライタ７０は、複数のＩＣタグ５０のデータを同時に取得できるし、書き込むこともできる。
ところで、上記実施例のＩＣタグ５０は、表表紙６の下側に位置した第１頁の扉２４ののど２６に装着されている。
【００５７】
しかしながら、このＩＣタグ５０をさらに目立たせないためには、上記実施例で云えば第１頁の扉２４とは反対側、つまり、図１４に示されるように、図１（ａ）の冊子１で云えば裏表紙８の上側に位置した最終頁の扉２４ののど２６に配置しても良い。
この最終頁の扉２４ののど２６は、裏表紙８のうち、冊子１のタイトルや発行所及び定価等が記載された背４の近傍で覆われる箇所であり、この場合にも、上記実施例と同様にチップ格納穴３０がのど２６の中央部分に形成され、チップ５２を保護できる。
【００５８】
一方、上記各実施例のチップ格納穴３０は、第１頁の扉２４（図２）或いは最終頁の扉２４（図１４）から見開き頁２２に向けて窪んでいるが、ＩＣタグ５０が扉２４ののど２６に装着される限り、チップ格納穴３０は、見開き頁２２から第１頁の扉２４若しくは最終頁の扉２４に向けて窪んでいても良い。この場合にはＩＣタグ５０がより一層目立たなくなるからである。
【００５９】
以上のように、本実施例によれば、冊子１は本文１０とＩＣタグ５０とを備えており、この本文１０は、複数の折丁４２を丁合し、その見開き頁２２までが外側の表紙２とともに針金２０で中綴じされる。ＩＣタグ５０は、ＩＣチップ５２、このＩＣチップ５２に接続するダイポールアンテナ５４、並びに、これらＩＣチップ５２及びダイポールアンテナ５４を支持する基板５６をそれぞれ有しており、リーダ／ライタ７０からの電波で非接触通信を行うことができる。
【００６０】
ここで、本文１０にはチップ格納穴３０が形成されている。詳しくは、このチップ格納穴３０は、本文１０のうち扉２４ののど２６の一部（例えば中央部分）を除去して形成された凹み３４であり、その内部にＩＣチップ５２の頂上部分から底部分に亘って配置させる。よって、ＩＣチップ５２が基板５６よりも突出して配置されていても、ＩＣチップ５２全体はチップ格納穴３０に退避されているため、本文１０から図２，１４の実施例で云えば表紙２側に突出しない。
【００６１】
この結果、製本後、つまり、冊子１を積み重ねた梱包作業、搬送作業や陳列作業などの際に冊子１に外力が作用しても、ＩＣチップ５２やダイポールアンテナ５４との接続部６６への衝撃は緩和され、ＩＣタグ５０の性能低下を防止できる。
より詳しくは、上述の通信検査時には正常に作動していたＩＣタグ５０が、冊子１とともに市場に流通して販売されるまでに通信不能になってしまうという不具合を大幅に削減できる。
【００６２】
さらに、のど２６は、小口１６の反対側に位置し、中綴じされた本文１０の曲面状になる部分である。より具体的には、一般に、画像、絵柄、文字情報を印刷しない箇所であり、飾り罫などが印刷される程度のスペースである。このため、ＩＣタグ５０を貼付しても冊子１の読み手には違和感を与えない。また、のど２６は、複数の冊子１を重ねた際に、小口１６の反対側から視える表紙２で覆われた本文１０の一部分に該当し、リーダ／ライタ７０のアンテナ７２はこの小口１６の反対側からＩＣタグ５０の情報を容易に読み取ることができる。
【００６３】
さらにまた、チップ格納穴３０を形成する開口３２の大きさや凹み３４の深さはいずれも３ｍｍ以内であれば、本文１０の内容を読む際にもその読み手に違和感を与えないし、本文１０の強度も確保できる。
また、この凹み３４は見開き頁２２に向けて、或いは見開き頁２２から離間して窪んでおり、その内部にＩＣチップ５２を確実に退避できる。
【００６４】
さらに、チップ格納穴３０はＩＣチップ５２を宙に浮かせた状態で格納しており、仮に、表紙２や本文１０に外力が作用しても、この衝撃は表紙２や本文１０、さらには基板５６でそれぞれ吸収され、ＩＣチップ５２やダイポールアンテナ５４との接続部６６には直接に伝わらない。したがって、ＩＣチップ５２を確実に保護できる他、ダイポールアンテナ５４との接続部６６への衝撃も確実に緩和でき、この接続部６６の亀裂も確実に防止できる。
【００６５】
さらにまた、ＩＣチップ５２やダイポールアンテナ５４との接続部６６は基板５６の中央部５８で支持されるが、この中央部５８が基板５６を折り曲げて設けられるため、ＩＣチップ５２やダイポールアンテナ５４との接続部６６をチップ格納穴３０の内部に容易に納めることができる。
また、ＵＨＦ帯による通信方式を用いれば、ＩＣタグ５０が安価になり、安価な管理システムを構築できる。
【００６６】
ところで、書籍１は、印刷、紙折、丁合、表紙掛け、綴じ、断裁の各工程を経て製造される。
ここで、ＩＣタグ５０の性能低下を防止するためのチップ格納穴３０は、紙折工程に移る前、つまり、刷り本４０の時点で設けられた孔３２を重ねて形成されている。
【００６７】
これら各孔３２は、折丁４２の綴じ目になる扉２４ののど２６、すなわち、冊子１の読み手に違和感を与えないスペースに設けられ、さらに、のど２６は、紙折工程から断裁工程までの作業者よりも、印刷工程の作業者が容易に確認できる空間である。
このように、印刷工程、つまり、平坦な刷り本４０の時点で孔３２を設けておけば、チップ格納穴３０を紙折工程から断裁工程までの間、若しくは製本後に本文１０の曲面部分を直接に除去して設ける場合に比して、チップ格納穴３０を平坦な刷り本４０に容易、且つ、正確に形成できる。
【００６８】
また、平坦な刷り本４０の時点で孔３２を設けておけば、チップ格納穴３０の除去を誤って本文１０全体を無駄にすることもない。孔３２の穿設に失敗した刷り本４０だけを再度作成して孔開けすれば済むからである。よって、本文１０の歩留まり向上にも寄与する。
さらに、ＩＣタグ５０は表紙掛け工程の前、つまり、丁合した本文１０に取り付けられており、表紙掛け工程から断裁工程までの間に設けた場合に比べて、表紙２を捲ってから取り付けなくて済むことから、その取り付けに要する作業が簡単である。
【００６９】
さらにまた、ＩＣタグ５０は、まず、ＩＣチップ５２及びその周辺のダイポールアンテナ５４をチップ格納穴３０に配置しておき、その後、基板５６を本文１０に貼り付けている。
よって、初めに基板５６の翼部６２を本文１０に貼り付けてからＩＣチップ５２等をチップ格納穴３０に配置した場合に比して、この初めに取り付けた翼部６２に張力が生じてＩＣチップ５２等がチップ格納穴３０の外部に飛び出すことを回避できる。このため、ＩＣチップ５２やダイポールアンテナ５４との接続部６６をより一層確実に保護できる。
【００７０】
本発明は、上記実施例に限定されず、特許請求の範囲を逸脱しない範囲で種々の変更を行うことができる。
例えば、上述した実施例では、本文１０が直線状の背４を有する中綴じ本に具現化した例で説明されているが、本発明のチップ格納部は無線綴じ本や平綴じ本にも適用できる。
【００７１】
詳しくは、これら無線綴じ本や平綴じ本の場合において、本文のうち情報が印字されない箇所とは、幅狭の背、換言すれば、第１頁の扉から最終頁の扉までの端部分が重なり合って形成され、幅狭の背表紙に覆われる部分が該当する。
すなわち、これら無線綴じ本や平綴じ本の場合には、当該幅狭の背から小口に向けて窪んだチップ格納部を設けておき、ＩＣチップ５２を搭載した基板５６の中央部５８を凹みの内部に配置すれば、ＩＣチップ５２やダイポールアンテナ５４との接続部６６を外力から保護できるからである。
【００７２】
また、上記実施例ではＵＨＦ帯の電波が用いられている。しかし、本発明の電波はマイクロ波でも良く、また、通信距離の短いＨＦ帯やＬＦ帯（長波）の電波にも適用可能である。さらに、本発明の電子タグは、上記パッシブタイプの他、電源を有するアクティブタイプでも良い。
そして、これらいずれの場合にも上記と同様に、電子タグの性能低下を防止できるとの効果を奏する。
【符号の説明】
【００７３】
１  冊子（電子タグ付き書籍）
２  表紙
１０  本文
１２  天
１４  地
１６  小口
２０  針金（連結具）
２２  見開き頁
２４  扉
２６  のど
３０  チップ格納穴（チップ格納部）
３２  開口、孔（孔）
３４  凹み
３６  周壁（壁面）
３８  底壁（壁面）
４０  刷り本
４２  折丁
５０  ＩＣタグ（電子タグ）
５２  ＩＣチップ（チップ）
５４  ダイポールアンテナ（アンテナ）
５６  基板
５８  中央部（支持部）
６６  接続部
７０  リーダ／ライタ（外部通信手段）
【図１】
2011224810.tif 000003
【図２】
2011224810.tif 000004
【図３】
2011224810.tif 000005
【図４】
2011224810.tif 000006
【図５】
2011224810.tif 000007
【図６】
2011224810.tif 000008
【図７】
2011224810.tif 000009
【図８】
2011224810.tif 000010
【図９】
2011224810.tif 000011
【図１０】
2011224810.tif 000012
【図１１】
2011224810.tif 000013
【図１２】
2011224810.tif 000014
【図１３】
2011224810.tif 000015
【図１４】
2011224810.tif 000016